(57)【特許請求の範囲】
【請求項１】
ヘモグロビンＡ及びヘモグロビンＡ１ｃを含む測定試料に対して、ヘモグロビンＡ及びヘモグロビンＡ１ｃと特異的に結合する抗ヘモグロビンＡ抗体が結合又は吸着した担体粒子（Ａ）、及び、ヘモグロビンＡ１ｃと特異的に結合する抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させ、前記担体粒子（Ａ）−ヘモグロビンＡ１ｃ−磁性体含有粒子（Ｂ）複合体の磁性量を測定することによりヘモグロビンＡに対するヘモグロビンＡ１ｃの比率を測定するヘモグロビンＡ１ｃの測定方法であって、
前記磁性体含有粒子（Ｂ）の平均粒子径は、前記担体粒子（Ａ）の平均粒子径よりも小さいものであり、
前記担体粒子（Ａ）の粒子径と前記磁性体含有粒子（Ｂ）の粒子径との差を利用して、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を捕集する工程を有する
ことを特徴とするヘモグロビンＡ１ｃの測定方法。
【請求項２】
ヘモグロビンＡを含む測定試料に対して、未感作の担体粒子（Ａ）、及び、ヘモグロビンＡ１ｃと特異的に結合する抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させ、前記担体粒子（Ａ）−ヘモグロビンＡ１ｃ−磁性体含有粒子（Ｂ）複合体の磁性量を測定することによりヘモグロビンＡに対するヘモグロビンＡ１ｃの比率を測定するヘモグロビンＡ１ｃの測定方法であって、
前記磁性体含有粒子（Ｂ）の平均粒子径は、前記担体粒子（Ａ）の平均粒子径よりも小さいものであり、
前記担体粒子（Ａ）の粒子径と前記磁性体含有粒子（Ｂ）の粒子径との差を利用して、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を捕集する工程を有する
ことを特徴とするヘモグロビンＡ１ｃの測定方法。
【請求項３】
磁性体含有粒子（Ｂ）の平均粒子径は、担体粒子（Ａ）の平均粒子径の１０％以下であることを特徴とする請求項１又は２記載のヘモグロビンＡ１ｃの測定方法。
【請求項４】
磁性体含有粒子（Ｂ）は、平均粒子径が０．０３〜０．５μｍであることを特徴とする請求項３記載のヘモグロビンＡ１ｃの測定方法。
【請求項５】
担体粒子（Ａ）の粒子径と磁性体含有粒子（Ｂ）の粒子径との差を利用して、担体粒子（Ａ）−ヘモグロビンＡ１ｃ−磁性体含有粒子（Ｂ）複合体と未反応の磁性体含有粒子（Ｂ）とを分離し、前記担体粒子（Ａ）−ヘモグロビンＡ１ｃ−磁性体含有粒子（Ｂ）複合体を捕集する工程は、前記担体粒子（Ａ）の平均粒子径よりも小さく、かつ、前記磁性体含有粒子（Ｂ）の平均粒子径よりも大きい孔径のフィルタを用いて、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を前記フィルタ上に捕集するものであることを特徴とする請求項３又は４記載のヘモグロビンＡ１ｃの測定方法。
【請求項６】
担体粒子（Ａ）の粒子径と磁性体含有粒子（Ｂ）の粒子径との差を利用して、担体粒子（Ａ）−ヘモグロビンＡ１ｃ−磁性体含有粒子（Ｂ）複合体と未反応の磁性体含有粒子（Ｂ）とを分離し、前記担体粒子（Ａ）−ヘモグロビンＡ１ｃ−磁性体含有粒子（Ｂ）複合体を捕集する工程は、前記磁性体含有粒子（Ｂ）の平均粒子径よりも小さく、かつ、前記磁性体含有粒子（Ｂ）の平均粒子径よりも大きい断面積を有する流路チャネル分離部を用いて、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を前記流路チャネル分離部に捕集するものであることを特徴とする請求項３又は４記載のヘモグロビンＡ１ｃの測定方法。
【発明の詳細な説明】
【技術分野】
【０００１】
本発明は、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットに関する。
【背景技術】
【０００２】
抗原−抗体反応、リガンド−レセプター反応、糖−レクチン反応等の生物学的測定方法は、極めて特異性が高い反応であり、このような生物学的反応を利用した測定は、薬物、細菌、疾病等の検査等の医療分野を中心に食品、工業製品、環境試料中の微量物質検出等に広く応用されつつある。なかでも、抗原−抗体反応を利用した生物学的測定方法は、極めて広い分野において利用されている。
生物学的測定方法の最大の利点は、生体の高度な物質間相互作用を利用して、これまで物理化学的な方法ではなし得なかった選択性を有する目的物質の検出、定量等ができることにあり、医療、食品、飲料水、下水、環境試料等の様々な試料中の低分子化合物から生体高分子まで広範囲な物質を検出できる可能性を有している。
【０００３】
近年、このような生物学的反応を利用した自動測定装置が数多く提案されている。例えば、現在最も広く利用されている方法の一つは、酵素結合抗体法（Ｅｎｚｙｍｅ−ｌｉｎｋｅｄ  Ｉｍｍｕｎｏｓｏｒｂｅｎｔ  ａｓｓａｙ）を利用して、被測定物質の検出を自動化するものである。酵素結合抗体法では、通常、固相として９６穴ミクロプレート上に抗原又は抗体質を固定し、固定した抗原又は抗体と特異的に結合する酵素標識物質を試料に加えて反応させた後、プレート上の酵素活性から試料中の未知物質の有無や未知濃度を決定する方法である。現在では、酵素標識のみならず蛍光や放射性等の標識も利用されている。この方法は簡便で多検体を一度に分析できる簡便性に優れる。
【０００４】
更に近年では、より簡便かつ迅速であることから、免疫クロマト法が多用されるようになってきている。免疫クロマト法では、通常、少なくとも２種類の抗体を利用したサンドイッチ法が採用されている。即ち、標識された抗体を含む試薬と測定試料とを反応させ、被検物質と標識抗体とを結合し、これをもう一つの抗体が固定化されたクロマト担体に流すことにより、クロマト担体中に標識された抗体が結合した被検物質を捕捉するというものである。このようなサンドイッチ法を採用した免疫クロマト法としては、種々の変法が提案されており、例えば、特許文献１〜５に開示されている。
【０００５】
サンドイッチ法を採用した免疫クロマト法では、標識された抗体が結合した被検物質と、未反応の標識された抗体とをクロマト法を用いて分離している。しかしながら、この方法では、クロマト担体に固定できる抗体の量自体に限界があることから、一度に測定可能な測定試料の量に限界があるという問題があった。また、担体に結合した抗体量が少ない場合には、測定試料中の被検物質とが接触できる機会が少なくなり、測定感度も減少してしまうという問題もあった。
【０００６】
また、血中のヘモグロビンに糖が結合したグリコヘモグロビンは、その濃度が過去１〜２ケ月間の平均的な血中糖濃度を反映するために、糖尿病の診断や、糖尿病の経過観察等に適した指標として広く利用されている。このようなグリコヘモグロビンは、全体のヘモグロビン量を対照とした際のグリコヘモグロビン量の比率で示される。ヘモグロビンの種類としては、ヘモグロビンＡ、Ｓ、Ｃ、Ｅがあるが、通常、臨床試験では、これらのなかでもヘモグロビンＡ（以下、ＨｂＡともいう）中の特定の糖化ヘモグロビンであるヘモグロビンＡ１ｃ（以下、ＨｂＡ１ｃともいう）の割合を指標として用いることが一般化されている。なお、ＨｂＡ量に対するＨｂＡ１ｃ量の比率は、通常約４〜６％がその目安とされている。
【０００７】
従来より、ＨｂＡ１ｃを含む糖化ヘモグロビンの測定法としては、電気泳動法、ボロン酸アフィニティクロマトグラフィー法、イオン交換クロマトグラフィー法、免疫アッセイ法等が知られているが、現在では所要時間や分離性等の点からイオン交換クロマトグラフィー法が主流となっている。しかしながら、イオン交換クロマトグラフィー法は大型で高価な装置が必要であるため、最近では特異性の高い抗体を用いた免疫アッセイ法を用いた測定方法が行われている。
しかしながら、これらの方法は何れも凝集反応を利用しているため、非特異的な凝集反応が生じる可能性があり、異常値が出現したり、抗原抗体反応による濁度増加が検出されにくくなったりすることがあり、特異性や測定精度の点で問題があった。
【特許文献１】特開昭６３−１５９７６１号公報
【特許文献２】特開平２−４９１６１号公報
【特許文献３】特表平８−５０８５６９号公報
【特許文献４】特開平１０−７３５９２号公報
【特許文献５】特開平１０−９０２６７号公報
【発明の開示】
【発明が解決しようとする課題】
【０００８】
本発明は、上記現状に鑑み、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットを提供することを目的とする。
【課題を解決するための手段】
【０００９】
本発明は、ヘモグロビンＡ及びヘモグロビンＡ１ｃを含む測定試料に対して、ヘモグロビンＡ及びヘモグロビンＡ１ｃと特異的に結合する抗ヘモグロビンＡ抗体が結合又は吸着した担体粒子（Ａ）、及び、ヘモグロビンＡ１ｃと特異的に結合する抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させ、前記担体粒子（Ａ）−ヘモグロビンＡ１ｃ−磁性体含有粒子（Ｂ）複合体の磁性量を測定することによりヘモグロビンＡに対するヘモグロビンＡ１ｃの比率を測定するヘモグロビンＡ１ｃの測定方法であって、前記磁性体含有粒子（Ｂ）の平均粒子径は、前記担体粒子（Ａ）の平均粒子径よりも小さいものであり、前記担体粒子（Ａ）の粒子径と前記磁性体含有粒子（Ｂ）の粒子径との差を利用して、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を捕集する工程を有するヘモグロビンＡ１ｃの測定方法である。
【００１０】
また、別の態様の本発明は、ヘモグロビンＡを含む測定試料に対して、未感作の担体粒子（Ａ）、及び、ヘモグロビンＡ１ｃと特異的に結合する抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させ、前記担体粒子（Ａ）−ヘモグロビンＡ１ｃ−磁性体含有粒子（Ｂ）複合体の磁性量を測定することによりヘモグロビンＡに対するヘモグロビンＡ１ｃの比率を測定するヘモグロビンＡ１ｃの測定方法であって、前記磁性体含有粒子（Ｂ）の平均粒子径は、前記担体粒子（Ａ）の平均粒子径よりも小さいものであり、前記担体粒子（Ａ）の粒子径と前記磁性体含有粒子（Ｂ）の粒子径との差を利用して、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を捕集する工程を有するヘモグロビンＡ１ｃの測定方法である。
以下に本発明を詳述する。
【００１１】
本発明のヘモグロビンＡ１ｃの測定方法の対象となる上記ヘモグロビンＡ（以下、ＨｂＡともいう）及びヘモグロビンＡ１ｃ（以下、ＨｂＡ１ｃともいう）を含む測定試料としては、例えば、血液検体を溶血処理及び変性処理したものを用いることができる。
【００１２】
上記溶血処理としては特に限定されず種々の方法を用いることができ、例えば、水等の低等張液や界面活性剤を用いる方法が挙げられる。
上記変性処理は、ＨｂＡ１ｃを変性させてＨｂＡと化学構造が異なる部位、即ち、糖結合部位を露出させ、抗ＨｂＡ１ｃ抗体との抗原抗体反応をしやすくすることや、不安定型ＨｂＡ１ｃを除去することを目的として行われるものである。上記変性処理の方法としては特に限定されず種々の方法を用いることができ、例えば、ＫＳＣＮ塩を用いる方法や、弱酸性条件下で、脂肪族カルボン酸緩衝液又はホウ酸緩衝液等を用いる方法等が挙げられる。
【００１３】
上記抗ヘモグロビンＡ抗体としては、ＨｂＡ及びＨｂＡ１ｃと特異的に結合する抗体であれば特に限定されず、モノクローナル抗体であってもポリクローナル抗体であってもよく、キメラ抗体、Ｆａｂ抗体、（Ｆａｂ）２抗体等の形態であってもよい。
【００１４】
上記担体粒子（Ａ）を構成する担体粒子としては特に限定されず、例えば、ガラスビーズ、有機高分子ビーズ、有機高分子ラテックス等を用いることができる。上記担体粒子に上記抗ＨｂＡ抗体を結合又は吸着させることで、抗原抗体反応により、測定試料中のＨｂＡ及びＨｂＡ１ｃが上記担体粒子（Ａ）の表面に結合する。
【００１５】
上記担体粒子に抗ヘモグロビンＡ抗体を結合又は吸着させる方法としては特に限定されず、例えば、物理吸着法や担体粒子が官能基を有する場合には、該官能基を介して上記抗ヘモグロビンＡ抗体を共有結合する方法等が挙げられる。
【００１６】
上記抗ヘモグロビンＡ１ｃ抗体としては、ＨｂＡ１ｃと特異的に結合する抗体であれば特に限定されず、モノクローナル抗体であってもポリクローナル抗体であってもよく、キメラ抗体、Ｆａｂ抗体、（Ｆａｂ）２抗体等の形態であってもよい。
【００１７】
上記磁性体含有粒子（Ｂ）を構成する磁性体含有粒子は、本発明のヘモグロビンＡ１ｃの測定方法において標識物質として機能するものである。
上記磁性体含有粒子（Ｂ）を構成する磁性体含有粒子としては特に限定されず、例えば、スチレン系共重合体等の有機高分子物質をマトリックスとして、四三酸化鉄（Ｆｅ３Ｏ４）、γ−重三二酸化鉄（γ−Ｆｅ２Ｏ３）等の各種フェライト類；鉄、マンガン、コバルト等の金属又はこれらの合金等の超常磁性を有する磁性体が分散したもの等が挙げられる。
【００１８】
上記磁性体含有粒子に抗ヘモグロビンＡ１ｃ抗体を結合又は吸着させる方法としては特に限定されず、例えば、物理吸着法や担体粒子が官能基を有する場合には、該官能基を介して上記抗ヘモグロビンＡ１ｃ抗体を共有結合する方法等が挙げられる。
【００１９】
上記磁性体含有粒子（Ｂ）の平均粒子径は、上記担体粒子（Ａ）の平均粒子径よりも小さいものである。本発明のヘモグロビンＡ１ｃの測定方法では、担体粒子（Ａ）と磁性体含有粒子（Ｂ）との平均粒子径の差異を利用して、担体粒子（Ａ）−ヘモグロビンＡ１ｃ−磁性体含有粒子（Ｂ）複合体と未反応の磁性体含有粒子（Ｂ）とを分離し、担体粒子（Ａ）−ヘモグロビンＡ１ｃ−磁性体含有粒子（Ｂ）複合体を捕集する。
【００２０】
上記磁性体含有粒子（Ｂ）の平均粒子径は、担体粒子（Ａ）の平均粒子径の１０％以下であることが好ましい。両者の平均粒子径の相違がこれよりも小さい場合には、担体粒子（Ａ）−ヘモグロビンＡ１ｃ−磁性体含有粒子（Ｂ）複合体と未反応の磁性体含有粒子（Ｂ）とを分離して担体粒子（Ａ）−ヘモグロビンＡ１ｃ−磁性体含有粒子（Ｂ）複合体を捕集することが困難となり、測定精度が低下することがある。
【００２１】
上記担体粒子（Ａ）の平均粒子径の好ましい下限は０．５μｍ、好ましい上限は１ｍｍである。０．５μｍ未満であると、担体粒子（Ａ）−ヘモグロビンＡ１ｃ−磁性体含有粒子（Ｂ）複合体と未反応の磁性体含有粒子（Ｂ）とを分離して担体粒子（Ａ）−ヘモグロビンＡ１ｃ−磁性体含有粒子（Ｂ）複合体を捕集することが困難となることがあり、１ｍｍを超えると、担体粒子の表面積が小さくなり、所望する感度が得られない場合がある。より好ましい下限は１μｍ、より好ましい上限は０．１ｍｍである。
【００２２】
上記磁性体含有粒子（Ｂ）の平均粒子径の好ましい下限は０．０３μｍ、好ましい上限は０．５μｍである。０．０３μｍ未満であると、自己凝集しやすくなり水系媒体中に分散させるのが困難となることがあり、０．５μｍを超えると、水系媒体中で沈降するなど分散性が悪くなることがある。より好ましい下限は０．０５μｍ、より好ましい上限は０．４μｍである。
上記磁性体含有粒子（Ｂ）の平均粒子径のＣＶ値は、５０％以下であることが好ましい。５０％を超えると、定量的な測定を行う場合に誤差を生じることがある。
【００２３】
ヘモグロビンＡ及びヘモグロビンＡ１ｃを含む測定試料に、上記担体粒子（Ａ）及び上記磁性体含有粒子（Ｂ）を加えた場合の挙動を表す概略図を図１に示す。なお、（Ｉ）は、ＨｂＡに対するＨｂＡ１ｃの比率が比較的低い場合であり、（ＩＩ）は、ＨｂＡに対するＨｂＡ１ｃの比率が比較的高い場合である。
【００２４】
図１（Ｉ）に示すように、ＨｂＡ１及びＨｂＡ１ｃ２を含む測定試料に対して、上記担体粒子（Ａ）３及び上記磁性体含有粒子（Ｂ）４を加えれば、上記担体粒子（Ａ）３に結合又は吸着した抗ＨｂＡ抗体に、ＨｂＡ１及びＨｂＡ１ｃ２が競合的に結合し、一方、上記磁性体含有粒子（Ｂ）４に結合又は吸着した抗ＨｂＡ１ｃ抗体が上記ＨｂＡ１及びＨｂＡ１ｃ２のうち、ＨｂＡ１ｃ２のみに結合して、担体粒子（Ａ）−ヘモグロビンＡ１ｃ−磁性体含有粒子（Ｂ）複合体５が形成される。ここで、ＨｂＡ１とＨｂＡ１ｃ２の担体粒子（Ａ）への結合は競合的であることから、複合体５に結合したＨｂＡ１及びＨｂＡ１ｃ２の比率は、測定試料中のＨｂＡに対するＨｂＡ１ｃの比率を反映したものとなる。
従って、測定試料中の測定試料中のＨｂＡに対するＨｂＡ１ｃの比率が大きいほど、結合する磁性体含有粒子（Ｂ）、即ち、磁性量が大きくなる。
そして、後に説明する捕集工程を行った後、得られた担体粒子（Ａ）−ヘモグロビンＡ１ｃ−磁性体含有粒子（Ｂ）複合体５の磁性量を測定する。更に、図１（ＩＩ）に示すように、測定試料中のＨｂＡに対するＨｂＡ１ｃの比率が異なる場合についても、同様の操作を行い、複合体の磁性量を測定した後、これらの結果を基に検量線を作成することにより、磁性量の測定結果から、ヘモグロビンＡに対するヘモグロビンＡ１ｃの比率を測定することが可能となる。
【００２５】
本発明のヘモグロビンＡ１ｃの測定方法は、担体粒子（Ａ）の粒子径と磁性体含有粒子（Ｂ）の粒子径との差を利用して、担体粒子（Ａ）−ヘモグロビンＡ１ｃ−磁性体含有粒子（Ｂ）複合体と未反応の前記磁性体含有粒子（Ｂ）とを分離し、担体粒子（Ａ）−ヘモグロビンＡ１ｃ−磁性体含有粒子（Ｂ）複合体を捕集する工程を有する。担体粒子（Ａ）−ヘモグロビンＡ１ｃ−磁性体含有粒子（Ｂ）複合体と未反応の前記磁性体含有粒子（Ｂ）とを分離することは、ヘモグロビンＡ１ｃの定量に不可欠の工程である。また、本発明のヘモグロビンＡ１ｃの測定方法においては、更に、担体粒子（Ａ）−ヘモグロビンＡ１ｃ−磁性体含有粒子（Ｂ）複合体を捕集することにより、更に、検出感度を高めることができる。
この工程について詳しく説明する。
【００２６】
上記担体粒子（Ａ）の粒子径と磁性体含有粒子（Ｂ）の粒子径との差を利用して、担体粒子（Ａ）−ヘモグロビンＡ１ｃ−磁性体含有粒子（Ｂ）複合体と未反応の磁性体含有粒子（Ｂ）とを分離し、担体粒子（Ａ）−ヘモグロビンＡ１ｃ−磁性体含有粒子（Ｂ）複合体を捕集する工程としては、具体的には例えば、担体粒子（Ａ）の平均粒子径よりも小さく、かつ、磁性体含有粒子（Ｂ）の平均粒子径よりも大きい孔径のフィルタを用いて、担体粒子（Ａ）−ヘモグロビンＡ１ｃ−磁性体含有粒子（Ｂ）複合体と未反応の前記磁性体含有粒子（Ｂ）とを分離し、担体粒子（Ａ）−ヘモグロビンＡ１ｃ−磁性体含有粒子（Ｂ）複合体をフィルタ上に捕集する方法（以下、フィルタ法ともいう）；磁性体含有粒子（Ｂ）の平均粒子径よりも小さく、かつ、磁性体含有粒子（Ｂ）の平均粒子径よりも大きい断面積を有する流路チャネル分離部を用いて、前記担体粒子（Ａ）−ヘモグロビンＡ１ｃ−磁性体含有粒子（Ｂ）複合体と未反応の磁性体含有粒子（Ｂ）とを分離し、担体粒子（Ａ）−ヘモグロビンＡ１ｃ−磁性体含有粒子（Ｂ）複合体を流路チャネル分離部に捕集する方法（以下、流路チャネル法ともいう）の２つの態様が挙げられる。
【００２７】
図２に上記フィルタ法又は流路チャネル法による担体粒子（Ａ）−ヘモグロビンＡ１ｃ−磁性体含有粒子（Ｂ）複合体と未反応の磁性体含有粒子（Ｂ）との分離、及び、担体粒子（Ａ）−ヘモグロビンＡ１ｃ−磁性体含有粒子（Ｂ）複合体の捕集の原理を説明する模式図を示した。
なお、１はヘモグロビンＡ、２はヘモグロビンＡ１ｃを表す。
図２において、フィルタ又は流路チャネル分離部６の上流においては、測定試料中には、担体粒子（Ａ）−ヘモグロビンＡ１ｃ−磁性体含有粒子（Ｂ）複合体５、未反応の担体粒子（Ａ）３、未反応の磁性体含有粒子（Ｂ）４が混ざりあった状態にある。平均粒子径から、フィルタ又は流路チャネル分離部５を通過できるのは、未反応の磁性体含有粒子（Ｂ）４のみであり、担体粒子（Ａ）−ヘモグロビンＡ１ｃ−磁性体含有粒子（Ｂ）複合体５と未反応の担体粒子（Ａ）３とは、フィルタ又は流路チャネル分離部６に捕集される。
なお、この方法では担体粒子（Ａ）−ヘモグロビンＡ１ｃ−磁性体含有粒子（Ｂ）複合体５と未反応の担体粒子（Ａ）３とは分離されないが、本発明のヘモグロビンＡ１ｃの測定方法では、磁性量を測定することにより被検物質の定量を行うことから、磁性を全く帯びない担体粒子（Ａ）３が存在しても測定結果には何らの影響も及ぼさない。
【００２８】
上記フィルタの孔径は、担体粒子（Ａ）の平均粒子径よりも小さく、かつ、磁性体含有粒子（Ｂ）の平均粒子径よりも大きいものであれば特に限定されないが、好ましい下限は上記磁性体含有粒子（Ｂ）の平均粒子径の２倍、好ましい上限は上記磁性体含有粒子（Ｂ）の平均粒子径の１０倍である。２倍未満であると、磁性体含有粒子（Ｂ）の一部が通過できないことがあり、１０倍を超えると、担体粒子（Ａ）の一部が通過してしまうことがある。
【００２９】
上記フィルタの形状としては特に限定されないが、例えば、シート状であることが好ましい。
上記フィルタとしては、水性媒体からなる測定試料が透過可能であるものであれば特に限定されず、例えば、多孔質膜等を用いることができる。
上記多孔質膜としては特に限定されず、例えば、セルロース、ニトロセルロース、ガラス繊維、ろ紙、スチロール樹脂、ビニル系樹脂等からなるものが挙げられる。また、上記多孔質膜の水性媒体に対する親和性が低い場合には、界面活性剤を用いる等の従来公知の親水化処理を施してもよい。
上記フィルタが多孔質膜からなる場合において、連続した同一の多孔質膜を用いてもよいし、異なる材料を併用してもよい。
【００３０】
上記流路チャネル分離部とは、支持体に流路チャネル（微細な溝）を形成したマイクロチップデバイスに形成された部位を意味する。このようなマイクロチップデバイスを用いる場合、測定試料は微量で行うことができ、また、短時間の測定も可能となる。
【００３１】
上記流路チャネル分離部の断面積は、担体粒子（Ａ）の平均粒子径よりも小さく、かつ、磁性体含有粒子（Ｂ）の平均粒子径よりも大きいものであれば特に限定されないが、好ましい下限は上記磁性体含有粒子（Ｂ）の平均粒子径の２倍、好ましい上限は上記磁性体含有粒子（Ｂ）の平均粒子径の１０倍である。２倍未満であると、磁性体含有粒子（Ｂ）の一部が通過できないことがあり、１０倍を超えると、担体粒子（Ａ）の一部が通過してしまうことがある。
【００３２】
上記流路チャネル分離部は、具体的には例えば、マイクロチップデバイスの流路チャネルに突起物等により断面積が狭くなる構造や多孔質構造を形成することにより形成することができる。
【００３３】
上記マイクロチップデバイスを構成する支持体は、計測工程で磁性量を計測することから、非磁性材料であることが好ましい。このような非磁性材料としては特に限定されず、例えば、ガラス、セラミックス、シリコン、ポリオレフィンやポリメチルメタクリレートなどの有機高分子材料等が挙げられる。
上記流路チャネルは、公知のエッチングや微細機械加工等により形成することができる。
【００３４】
本発明のヘモグロビンＡ１ｃの測定方法のより具体的な実施態様について更に説明する。
第１の実施態様は、ヘモグロビンＡを含む測定試料に対して、抗ヘモグロビンＡ抗体が結合又は吸着した担体粒子（Ａ）、及び、抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させる反応工程と、担体粒子（Ａ）の粒子径と磁性体含有粒子（Ｂ）の粒子径との差を利用して、担体粒子（Ａ）−ヘモグロビンＡ１ｃ−磁性体含有粒子（Ｂ）複合体と未反応の磁性体含有粒子（Ｂ）とを分離し、担体粒子（Ａ）−ヘモグロビンＡ１ｃ−磁性体含有粒子（Ｂ）複合体を捕集する分離捕集工程と、捕集された担体粒子（Ａ）−ヘモグロビンＡ１ｃ−磁性体含有粒子（Ｂ）複合体の磁性量を測定する測定工程とを有する。
【００３５】
第１の実施態様では、まず、最初の反応工程において担体粒子（Ａ）−ヘモグロビンＡ１ｃ−磁性体含有粒子（Ｂ）複合体を形成させ、次いで、分離捕集工程において未反応の磁性体含有粒子を分離し、担体粒子（Ａ）−ヘモグロビンＡ１ｃ−磁性体含有粒子（Ｂ）複合体を捕集し、最後の測定工程において捕集された担体粒子（Ａ）−ヘモグロビンＡ１ｃ−磁性体含有粒子（Ｂ）複合体の磁性量を測定する。
【００３６】
第２の実施態様は、ヘモグロビンＡを含む測定試料に対して、抗ヘモグロビンＡ抗体が結合又は吸着した担体粒子（Ａ）を加えて、担体粒子（Ａ）−ヘモグロビンＡ複合体を形成させる第一反応工程と、担体粒子（Ａ）−ヘモグロビンＡ複合体を捕集する捕集工程と、捕集された担体粒子（Ａ）−ヘモグロビンＡ複合体に、抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させると同時に、担体粒子（Ａ）の粒子径と磁性体含有粒子（Ｂ）の粒子径との差を利用して、担体粒子（Ａ）−ヘモグロビンＡ１ｃ−磁性体含有粒子（Ｂ）複合体と未反応の磁性体含有粒子（Ｂ）とを分離する第二反応−分離工程と、捕集された担体粒子（Ａ）−ヘモグロビンＡ１ｃ−磁性体含有粒子（Ｂ）複合体の磁性量を測定する測定工程とを有する。
【００３７】
第２の実施態様では、まず、最初の第一反応工程において担体粒子（Ａ）−ヘモグロビンＡ複合体を形成させる。次いで、捕集工程において上述のフィルタや流路チャネル分離部を利用して担体粒子（Ａ）−ヘモグロビンＡ複合体を捕集する。ここに磁性体含有粒子（Ｂ）を流せば、その一部は担体粒子（Ａ）−ヘモグロビンＡ複合体と反応して担体粒子（Ａ）−ヘモグロビンＡ１ｃ−磁性体含有粒子（Ｂ）複合体を形成するが、未反応の磁性体含有粒子（Ｂ）は、フィルタや流路チャネル分離部を流れ去る。最後の測定工程において捕集された担体粒子（Ａ）−ヘモグロビンＡ１ｃ−磁性体含有粒子（Ｂ）複合体の磁性量を測定する。
このように、被検物質と担体粒子（Ａ）、磁性体含有粒子（Ｂ）との反応の順番は、測定方法にあわせて適宜選択し得る。
【００３８】
上記第１及び第２の実施態様において、担体粒子（Ａ）−ヘモグロビンＡ１ｃ−磁性体含有粒子（Ｂ）複合体の磁性量を測定する方法としては、例えば、ホールセンサーやＧＭＲセンサ等の磁気センサを用いる方法や、磁気緩和測定を利用する方法等が挙げられる。そして、得られた測定結果を基に検量線を作成し、この検量線を用いることで、磁性量の測定結果から、ヘモグロビンＡに対するヘモグロビンＡ１ｃの比率を求めることが可能となる。
【００３９】
本発明のヘモグロビンＡ１ｃの測定方法は、必要に応じて、測定試料や担体粒子（Ａ）、磁性体含有粒子（Ｂ）の導入速度や導入量等を制御する目的で、試料導入量調整工程を有していてもよい。具体的には、例えば、反応工程等後の測定試料をガラス繊維、ろ紙、セルロース等からなる試料導入材料を通過させること等が挙げられる。
【００４０】
本発明のヘモグロビンＡ１ｃの測定方法は、必要に応じて、反応工程等後に、測定試料を濃縮する目的で、濃縮工程を有していてもよい。濃縮した試料を用いることにより、更に測定感度を向上させることができる。
上記濃縮の方法としては特に限定されず、例えば、上記磁性体含有粒子（Ｂ）や、これを含む複合体は、磁性を帯びることから、反応させた溶液を収容する容器の外部より磁場印加手段を適用すれば、容器の内壁に吸着することができる。測定試料の溶媒（上清）の大部分を除去し、磁場を取り除いた後、微少量の分散媒（例えば、バッファー）等により容器の内壁を洗浄すれば、これらの粒子を回収して高度に濃縮することができる。
【００４１】
本発明のヘモグロビンＡ１ｃの測定方法は、必要に応じて、上記捕集工程後に、過剰の試料を迅速に吸収する目的で吸水工程を有していてもよい。具体的には、例えば、上記フィルタを用いる場合は、その後方に、ガラス繊維、ろ紙やセルロース等の優れた吸水力及び給水容量を有する吸水物質を設置すること等が挙げられる。
【００４２】
本発明のヘモグロビンＡ１ｃの測定方法は、必要に応じて、上記捕集工程後に、未反応の磁性体含有粒子（Ｂ）をより完全に除去する目的で、過剰の緩衝液等による洗浄工程を有していてもよい。
【００４３】
本発明のヘモグロビンＡ１ｃの測定方法は、上記構成からなることにより、極めて容易に被検物質に反応した標識物質と未反応の標識物質とを分離し、かつ、被検物質に反応した標識物質のみを捕集することができ、磁性量を標識として定性的又は定量的な分析を行うことができる。
【００４４】
別の態様の本発明は、ヘモグロビンＡを含む測定試料に対して、未感作の担体粒子（Ａ）、及び、ヘモグロビンＡ１ｃと特異的に結合する抗ヘモグロビンＡ１ｃ抗体が結合又は吸着した磁性体含有粒子（Ｂ）を加えて、担体粒子（Ａ）−ヘモグロビンＡ１ｃ−磁性体含有粒子（Ｂ）複合体を形成させ、前記担体粒子（Ａ）−ヘモグロビンＡ１ｃ−磁性体含有粒子（Ｂ）複合体の磁性量を測定することによりヘモグロビンＡに対するヘモグロビンＡ１ｃの比率を測定するヘモグロビンＡ１ｃの測定方法であって、前記磁性体含有粒子（Ｂ）の平均粒子径は、前記担体粒子（Ａ）の平均粒子径よりも小さいものであり、前記担体粒子（Ａ）の粒子径と前記磁性体含有粒子（Ｂ）の粒子径との差を利用して、前記担体粒子（Ａ）−ヘモグロビンＡ１ｃ−磁性体含有粒子（Ｂ）複合体と未反応の前記磁性体含有粒子（Ｂ）とを分離し、前記担体粒子（Ａ）−ヘモグロビンＡ１ｃ−磁性体含有粒子（Ｂ）複合体を捕集する工程を有するヘモグロビンＡ１ｃの測定方法である。
【００４５】
別の態様の本発明では、担体粒子として、未感作の担体粒子（Ａ）を用いる。
上記未感作の担体粒子（Ａ）を構成する担体粒子としては、ＨｂＡ、ＨｂＡ１ｃ、タンパク質等と非特異的に結合又は吸着するものであることが好ましく、例えば、ガラスビーズ、有機高分子ビーズ、有機高分子ラテックス等を用いることができる。有機高分子としてはスチレン重合体、アクリル酸エステル重合体、スチレン-アクリル酸エステル共重合体、スチレン-ジビニルベンゼン共重合体等が挙げられる。
【００４６】
ヘモグロビンＡ及びヘモグロビンＡ１ｃを含む測定試料に、未感作の担体粒子（Ａ）及び上記磁性体含有粒子（Ｂ）を加えた場合の挙動を表す概略図を図３に示す。なお、（Ｉ）は、ＨｂＡに対するＨｂＡ１ｃの比率が比較的低い場合であり、（ＩＩ）は、ＨｂＡに対するＨｂＡ１ｃの比率が比較的高い場合である。
【００４７】
図３（Ｉ）に示すように、ＨｂＡ１及びＨｂＡ１ｃ２を含む測定試料に対して、未感作の担体粒子（Ａ）１３及び上記磁性体含有粒子（Ｂ）４を加えれば、上記担体粒子（Ａ）１３に、ＨｂＡ１、ＨｂＡ１ｃ２及びタンパク質等が非特異的に結合し、一方、上記磁性体含有粒子（Ｂ）４に結合又は吸着した抗ＨｂＡ１ｃ抗体が、ＨｂＡ１ｃのみに結合して、担体粒子（Ａ）−ヘモグロビンＡ１ｃ−磁性体含有粒子（Ｂ）複合体１５が形成される。ここで、ＨｂＡ１とＨｂＡ１ｃ２の担体粒子（Ａ）への結合は競合的であることから、複合体１５に結合したＨｂＡ１及びＨｂＡ１ｃ２の比率は、測定試料中のＨｂＡに対するＨｂＡ１ｃの比率を反映したものとなる。従って、測定試料中の測定試料中のＨｂＡに対するＨｂＡ１ｃの比率が大きいほど、結合する磁性体含有粒子（Ｂ）、即ち、磁性量が大きくなる。
そして、捕集工程を行った後、得られた担体粒子（Ａ）−ヘモグロビンＡ１ｃ−磁性体含有粒子（Ｂ）複合体の磁性量を測定する。更に、図３（ＩＩ）に示すように、測定試料中のＨｂＡに対するＨｂＡ１ｃの比率が異なる場合についても、同様の操作を行い、複合体の磁性量を測定した後、これらの結果を基に検量線を作成することにより、磁性量の測定結果から、ヘモグロビンＡに対するヘモグロビンＡ１ｃの比率を測定することが可能となる。
なお、別の態様の本発明は、未感作の担体粒子（Ａ）を用いる点以外は、本発明のヘモグロビンＡ１ｃの測定方法と同様であるため、その詳しい説明を省略する。
【００４８】
本発明のヘモグロビンＡ１ｃの測定方法を実施するために用いるヘモグロビンＡ１ｃ測定用キットもまた、本発明の１つである。
このようなヘモグロビンＡ１ｃ測定用キットを用いることで、簡易かつ迅速に、ヘモグロビンＡに対するヘモグロビンＡ１ｃの比率を高い精度で測定することが可能となる。
【発明の効果】
【００４９】
本発明によれば、極めて容易に測定試料に反応した標識物質と未反応の標識物質とを分離し、かつ、測定試料に反応した標識物質のみを捕集することができることから、簡易かつ迅速にヘモグロビンＡに対するヘモグロビンＡ１ｃの比率を測定することができ、また、磁性量を標識として精度の高い分析を行うことが可能なヘモグロビンＡ１ｃの測定方法及びヘモグロビンＡ１ｃ測定用キットを提供することができる。
【発明を実施するための最良の形態】
【００５０】
以下に実施例を挙げて本発明の態様を更に詳しく説明するが、本発明はこれら実施例にのみ限定されるものではない。
【００５１】
（抗ＨｂＡモノクローナル抗体結合担体粒子の作製）
担体粒子（ポリスチレン系、平均粒子径５０μｍ、積水化学社製）１０ｍｇに２０ｍＭリン酸緩衝液（ｐＨ７．５）１０ｍＬを加え、３０００ＲＰＭにて２０分間遠心分離を行った。得られた沈渣に、２０ｍＭリン酸緩衝液（ｐＨ７．５）に抗ＨｂＡモノクローナル抗体を０．１ｍｇ／ｍＬの濃度になるように溶解した溶液を１ｍＬ加え、充分に混和して、室温にて１時間撹拌した。
【００５２】
未反応の抗ＨｂＡモノクローナル抗体を除去するため、３０００ＲＰＭにて２０分間遠心分離を行い、沈渣を２０ｍＭリン酸緩衝液（ｐＨ７．５）３ｍＬに懸濁させ、再度遠心分離を行った。その沈渣を２０ｍＭリン酸緩衝液（ｐＨ７．５）に牛血清アルブミンを１％（ｗ／ｖ）の濃度になるように溶解した溶液３ｍＬに懸濁させ、室温で１時間撹拌し、ブロッキング処理を行った。その後、３０００ＲＰＭにて２０分間遠心分離を行い、沈渣を２０ｍＭリン酸緩衝液（ｐＨ７．５）に牛血清アルブミンを１％（ｗ／ｖ）の濃度になるように溶解し、更にアジ化ナトリウムを０．０１％（ｗ／ｖ）の濃度になるように溶解した溶液２ｍＬに懸濁させて粒子担体の懸濁液を調製し、使用までこれを冷蔵保存した。
【００５３】
（抗ＨｂＡ１ｃモノクローナル抗体結合磁性体含有粒子の作製）
磁性体含有粒子（ポリスチレン系、磁性体量６０％、平均粒子径０．３μｍ、積水化学社製）１０ｍｇに２０ｍＭリン酸緩衝液（ｐＨ７．５）１０ｍＬを加え、１５０００ＲＰＭにて２０分間遠心分離を行った。得られた沈渣に、２０ｍＭリン酸緩衝液（ｐＨ７．５）に抗ＨｂＡ１ｃモノクローナル抗体を０．２ｍｇ／ｍＬの濃度になるように溶解した溶液を２ｍＬ加え、充分に混和して、室温にて１時間撹拌した。
【００５４】
未反応の抗ＨｂＡ１ｃモノクローナル抗体を除去するため、１５０００ＲＰＭにて２０分間遠心分離を行い、沈渣を２０ｍＭリン酸緩衝液（ｐＨ７．５）３ｍＬに懸濁させ、再度遠心分離を行った。その沈渣を２０ｍＭリン酸緩衝液（ｐＨ７．５）に牛血清アルブミンを１％（ｗ／ｖ）の濃度になるように溶解した溶液３ｍＬに懸濁させ、室温で１時間撹拌し、ブロッキング処理を行った。その後、１５０００ＲＰＭにて２０分間遠心分離を行い、沈渣を２０ｍＭリン酸緩衝液（ｐＨ７．５）に牛血清アルブミンを１％（ｗ／ｖ）の濃度になるように溶解し、更にアジ化ナトリウムを０．０１％（ｗ／ｖ）の濃度になるように溶解した溶液２ｍＬに懸濁させて抗ＨｂＡ１ｃモノクローナル抗体結合磁性体含有粒子の懸濁液を調製し、使用までこれを冷蔵保存した。
【００５５】
（実施例１）
フィルタとしてグラスファイバーフィルタ（ＡＰ２５、孔径１．５μｍ、直径９０ｍｍ、日本ミリポア社製）を吸水用ろ紙（日本ミリポア株式会社製）の上に重ねてフィルタ試験片とした。
【００５６】
２０ｍＭリン酸緩衝液（ｐＨ７．５）に抗ＨｂＡモノクローナル抗体結合担体粒子を１％（ｗ／ｖ）、及び、抗ＨｂＡ１ｃモノクローナル抗体結合磁性体含有粒子を０．１％（ｗ／ｖ）の濃度になるように分散し、牛血清アルブミンを１％（ｗ／ｖ）、トリトン−Ｘを０．０１％（ｗ／ｖ）の濃度になるように溶解し、更にアジ化ナトリウムを０．０１％（ｗ／ｖ）の濃度になるように溶解した溶液を作製し、得られた溶液１００μＬを９６ウェルマイクロプレート（ナルジェヌンクインターナショナル社製）の各ウェルに添加した。
【００５７】
検体として、グリコＨｂコントロールレベルＩ（ＨｂＡ１ｃ＝５．４±０．３％）、レベルＩＩ（ＨｂＡ１ｃ＝１０．６±０．５％）（国際試薬社製）を用い、牛血清アルブミン１％（ｗ／ｖ）、トリトン−１００  ０．０３％（ｗ／ｖ）、及び、ヘモグロビン濃度が５μｇ／ｍＬとなるように１００ｍＭＰＢＳで調整し、測定試料を作製した。
【００５８】
前記ウエルに測定試料１００μＬを添加し、混合１０分後、フィルタ試験片の滴下部位にキャピラリーを用いて測定試料を１００μＬ滴下した。続いて、滴下部位に、牛血清アルブミンを１％（ｗ／ｖ）、トリトン−Ｘを０．０１％（ｗ／ｖ）の濃度の２０ｍＭリン酸緩衝液（ｐＨ７．５）を１００μＬ滴下した後、フィルタ試験片のグラスファイバーを取り出し、滴下部位の磁性量を、市販のＧＭＲセンサ（差動磁界センサ、ＮＶＥ社製）を用いて測定した。
【００５９】
（実施例２）
石英ガラス基板内に、深さ１００μｍ、幅２００μｍの流路チャネル、その流路の先に、深さ５μｍの微細な流路チャネル分離部を設けたマイクロチップデバイスを用いた。
【００６０】
２０ｍＭリン酸緩衝液（ｐＨ７．５）に抗ＨｂＡモノクローナル抗体結合担体粒子を１％（ｗ／ｖ）、及び、抗ＨｂＡ１ｃモノクローナル抗体結合磁性体含有粒子を０．２％（ｗ／ｖ）の濃度になるように分散し、牛血清アルブミンを１％（ｗ／ｖ）、トリトン−Ｘを０．０１％（ｗ／ｖ）の濃度になるように溶解し、更にアジ化ナトリウムを０．０１％（ｗ／ｖ）の濃度になるように溶解した溶液を作製し、得られた溶液１００μＬを９６ウェルマイクロプレート（ナルジェヌンクインターナショナル社製）の各ウェルに添加した。
【００６１】
実施例１と同様の測定試料を調製、添加し、混合１分後、流路チャネル流入部から反応液２００μＬを送液した。続いて、流路チャネル流入部から牛血清アルブミンを１％（ｗ／ｖ）、トリトン−Ｘを０．０１％（ｗ／ｖ）の濃度の２０ｍＭリン酸緩衝液（ｐＨ７．５）を２００μＬ送液した後、流路チャネル分離部の磁性量を、市販のＧＭＲセンサ（差動磁界センサ、ＮＶＥ社製）を用いて測定した。
結果を表１に示した。
【００６２】
【表１】
0004653574.tif 000002
【００６３】
表１より、実施例１、２では、ＨｂＡ１ｃの比率の変化に伴い、磁性量についても大きく変化していることが確認された。これにより、測定結果に基づき検量線を作成し、作成した検量線を用いることで、磁性量の測定値から測定試料中のＨｂＡに対するＨｂＡ１ｃの比率を求めることが可能となる。従って、実施例１、２のヘモグロビンＡ１ｃの測定方法は、簡便で、精度の高い有用な測定法であることが判る。
【００６４】
（実施例３）
フィルタとしてグラスファイバーフィルタ（ＡＰ２５、孔径１．５μｍ、直径９０ｍｍ、日本ミリポア社製）を吸水用ろ紙（日本ミリポア株式会社製）の上に重ねてフィルタ試験片とした。
【００６５】
２０ｍＭリン酸緩衝液（ｐＨ７．５）に抗ＨｂＡ抗体結合粒子担体を１％（ｗ／ｖ）の濃度になるように分散し、更に牛血清アルブミンを１％（ｗ／ｖ）、トリトン−Ｘを０．０１％（ｗ／ｖ）の濃度になるように溶解し、更にアジ化ナトリウムを０．０１％（ｗ／ｖ）の濃度になるように溶解した溶液を作製し、該溶液１００μＬを９６ウェルマイクロプレート（ナルジェヌンクインターナショナル株式会社製）の各ウェルに添加した。
【００６６】
検体として、グリコＨｂコントロールレベルＩ（ＨｂＡ１ｃ＝５．４±０．３％）、レベルＩＩ（ＨｂＡ１ｃ＝１０．６±０．５％）（国際試薬社製）を用い、牛血清アルブミン１％（ｗ／ｖ）、トリトン−１００  ０．０３％（ｗ／ｖ）、及び、ヘモグロビン濃度が１００μｇ／ｍＬとなるように１００ｍＭＰＢＳで調整し、測定試料を作製した。
【００６７】
前記ウエルに測定試料１００μＬを添加し、混合１０分後、フィルタ試験片の滴下部位にキャピラリーを用いて１００μＬ滴下した。続いて、滴下部位に、牛血清アルブミンを１％（ｗ／ｖ）、トリトン−Ｘを０．０１％（ｗ／ｖ）の濃度の２０ｍＭリン酸緩衝液（ｐＨ７．５）を１００μＬ滴下した後、抗ＨｂＡ１ｃモノクローナル抗体結合磁性体含有粒子を０．１％（ｗ／ｖ）の濃度になるように溶解し、更にアジ化ナトリウムを０．０１％（ｗ／ｖ）の濃度になるように溶解した溶液を作製し、該溶液５０μＬを滴下した。滴下１０分後に、滴下部位に、牛血清アルブミンを１％（ｗ／ｖ）、トリトン−Ｘを０．０１％（ｗ／ｖ）の濃度の２０ｍＭリン酸緩衝液（ｐＨ７．５）を１００μＬ滴下した。その後、フィルタ試験片のグラスファイバーを取り出し、滴下部位の磁性量を、市販のＧＭＲセンサ（差動磁界センサ、ＮＶＥ社製）を用いて測定した。
【００６８】
（実施例４）
石英ガラス基板内に、深さ１００μｍ、幅２００μｍの流路チャネル、その流路の先に、深さ５μｍの微細な流路チャネル分離部を設けたマイクロチップデバイスを用いた。
【００６９】
２０ｍＭリン酸緩衝液（ｐＨ７．５）に抗ＨｂＡモノクローナル抗体結合粒子担体を１％（ｗ／ｖ）の濃度になるように分散し、更に牛血清アルブミンを１％（ｗ／ｖ）、トリトン−Ｘを０．０１％（ｗ／ｖ）の濃度になるように溶解し、更にアジ化ナトリウムを０．０１％（ｗ／ｖ）の濃度になるように溶解した溶液を作製し、該溶液１００μＬを９６ウェルマイクロプレート（ナルジェヌンクインターナショナル株式会社製）の各ウェルに添加した。
【００７０】
実施例３と同様の測定試料を調製、添加し、混合１分後、流路チャネル流入部から反応液２００μＬを送液した。続いて、流路チャネル流入部から牛血清アルブミンを１％（ｗ／ｖ）、トリトン−Ｘを０．０１％（ｗ／ｖ）の濃度の２０ｍＭリン酸緩衝液（ｐＨ７．５）を２００μＬ送液した。次いで、抗ＨｂＡ１ｃモノクローナル抗体結合磁性体含有粒子を０．２％（ｗ／ｖ）の濃度になるように分散し、更に牛血清アルブミンを１％（ｗ／ｖ）、トリトン−Ｘを０．０１％（ｗ／ｖ）の濃度になるように溶解した溶液５０μＬを送液した。続いて、流路チャネル流入部から牛血清アルブミンを１％（ｗ／ｖ）、トリトン−Ｘを０．０１％（ｗ／ｖ）の濃度の２０ｍＭリン酸緩衝液（ｐＨ７．５）を１００μＬ送液した。その後、流路チャネル分離部の磁性量を、市販のＧＭＲセンサ（差動磁界センサ、ＮＶＥ社製）を用いて測定した。
結果を表２に示した。
【００７１】
【表２】
0004653574.tif 000003
【００７２】
表２より、実施例３、４では、ＨｂＡ１ｃの比率の変化に伴い、磁性量についても大きく変化していることが確認された。これにより、測定結果に基づき検量線を作成し、作成した検量線を用いることで、磁性量の測定値から測定試料中のＨｂＡに対するＨｂＡ１ｃの比率を求めることが可能となる。従って、実施例３、４のヘモグロビンＡ１ｃの測定方法は、簡便で、精度の高い有用な測定法であることが判る。
【００７３】
（実施例５）
検体として、グリコＨｂコントロールレベルＩ（ＨｂＡ１ｃ＝５．４±０．３％）、レベルＩＩ（ＨｂＡ１ｃ＝１０．６±０．５％）（国際試薬社製）それぞれ１２５μＬを精製水５ｍＬに加え測定試料を作製した。
６５ｍＭリン酸緩衝液（ｐＨ７．４）に０．１％濃度となるように担体粒子（ポリスチレン系、平均粒子径５０μｍ、積水化学工業社製）を分散した懸濁液２００μＬに、得られた測定試料５μＬを添加し、３７℃で３０分間撹拌して、担体粒子表面に測定試料を吸着させた。
【００７４】
次いで、得られた担体粒子懸濁液に抗ＨｂＡ１ｃモノクローナル抗体結合磁性体含有粒子の懸濁液４０μＬを加え、３７℃で３０分間撹拌し、担体粒子吸着ＨｂＡ１Ｃに抗ＨｂＡ１ｃモノクローナル抗体結合磁性体含有粒子を結合させた。
グラスファイバーフィルタ（ＡＰ２５、孔径１．５μｍ、直径９０ｍｍ、日本ミリポア社製）を吸水用ろ紙（日本ミリポア株式会社製）の上に重ねたフィルタ試験片の滴下部位にキャピラリーを用いて得られた反応液を２００μＬ滴下した。続いて、滴下部位に、牛血清アルブミンを１％（ｗ／ｖ）、トリトン−Ｘを０．０１％（ｗ／ｖ）の濃度の２０ｍＭリン酸緩衝液（ｐＨ７．５）を１００μＬ滴下した後、フィルタ試験片のグラスファイバーを取り出し、滴下部位の磁性量を、市販のＧＭＲセンサ（差動磁界センサ、ＮＶＥ社製）を用いて測定した。結果を表３に示した。
【００７５】
【表３】
0004653574.tif 000004
【００７６】
表３より、実施例５では、ＨｂＡ１ｃの比率の変化に伴い、磁性量についても大きく変化していることが確認された。これにより、測定結果に基づき検量線を作成し、作成した検量線を用いることで、磁性量の測定値から測定試料中のＨｂＡに対するＨｂＡ１ｃの比率を求めることが可能となる。従って、実施例５のヘモグロビンＡ１ｃの測定方法は、簡便で、精度の高い有用な測定法であることが判る。
【産業上の利用可能性】
【００７７】
本発明によれば、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットを提供することができる。
【図面の簡単な説明】
【００７８】
【図１】本発明において、測定試料に上記担体粒子（Ａ）及び上記磁性体含有粒子（Ｂ）を加えた場合の挙動を示す模式図である。
【図２】フィルタ法又は流路チャネル法による担体粒子（Ａ）−ヘモグロビンＡ１ｃ−磁性体含有粒子（Ｂ）複合体と未反応の磁性体含有粒子（Ｂ）との分離、及び、担体粒子（Ａ）−ヘモグロビンＡ１ｃ−磁性体含有粒子（Ｂ）複合体の捕集の原理を説明する模式図である
【図３】別の態様の本発明において、測定試料に上記担体粒子（Ａ）及び上記磁性体含有粒子（Ｂ）を加えた場合の挙動を示す模式図である。
【符号の説明】
【００７９】
１  ヘモグロビンＡ
２  ヘモグロビンＡ１ｃ
３  抗ヘモグロビンＡ抗体が結合又は吸着した担体粒子（Ａ）
４  抗ヘモグロビンＡ１ｃ抗体が結合又は吸着した磁性体含有粒子（Ｂ）
５  担体粒子（Ａ）−ヘモグロビンＡ１ｃ−磁性体含有粒子（Ｂ）複合体
６  フィルタ又は流路チャネル分離部
【図１】
0004653574.tif 000005
【図２】
0004653574.tif 000006
【図３】
0004653574.tif 000007